(57)【要約】【課題】一方の側板またはスペーサに連結されるリンク部材を工具を用いることなく容易に連結することのできる自動販売機の商品収納コラムを提供する。【解決手段】略Ｌ字状の連結シャフト６の一端側をリンク部材５の一端側及び一方の側板１に幅方向に挿通することにより、リンク部材５の一端側を連結シャフト６を介して一方の側板１に回動自在に連結するとともに、連結シャフト６の他端側を弾性変形させながら一方の側板１に設けたシャフト固定部１ｃに係止することにより、連結シャフト６の他端側を側板１に固定するようにしたので、リンク部材５の一端側を工具を用いることなく側板１に容易に連結することができ、製造コストの低減を図ることができる。【選択図】図５
2007018311.tif 000002
【特許請求の範囲】
【請求項１】
互いに間隔をおいて対向する一対の側板と、各側板間に上下方向に延びるように形成された商品通路と、商品通路内の幅方向一端側に配置された通路幅調整用のスペーサと、スペーサを一方の側板に商品通路の幅方向に移動自在に連結するリンク部材とを備え、商品通路の幅方向他端側の側板とスペーサとの間に商品を収納するようにした自動販売機の商品収納コラムにおいて、
前記リンク部材を、一端側がリンク部材を幅方向に挿通する略Ｌ字状の連結シャフトを介して一方の側板またはスペーサに回動自在に連結し、
リンク部材が連結される一方の側板またはスペーサには、連結シャフトの他端側に係止することにより連結シャフトを固定するシャフト固定部を設けた
ことを特徴とする自動販売機の商品収納コラム。
【請求項２】
前記連結シャフトの他端側を所定方向に弾性変形させながらシャフト固定部に係止するように形成した
ことを特徴とする請求項１記載の自動販売機の商品収納コラム。
【請求項３】
前記シャフト固定部を所定方向に折り曲げて連結シャフトの他端側に係止するように形成した
ことを特徴とする請求項１記載の自動販売機の商品収納コラム。
【請求項４】
互いに間隔をおいて対向する一対の側板と、各側板間に上下方向に延びるように形成された商品通路と、商品通路内の幅方向一端側に配置された通路幅調整用のスペーサと、スペーサを一方の側板に商品通路の幅方向に移動自在に連結するリンク部材とを備え、商品通路の幅方向他端側の側板とスペーサとの間に商品を収納するようにした自動販売機の商品収納コラムにおいて、
前記リンク部材に一方の側板またはスペーサの連結孔に回動自在に連結される連結部を設けるとともに、
リンク部材が連結される一方の側板またはスペーサにはリンク部材の連結部を連結孔に挿通する切り欠きを設け、
連結部の幅寸法を切り欠きの幅寸法よりも大きく、連結部の厚さ寸法を切り欠きの幅寸法よりも小さく形成した
ことを特徴とする自動販売機の商品収納コラム。
【請求項５】
前記リンク部材が連結される一方の側板またはスペーサ部材側に、リンク部材の回動を連結部の厚さ方向が切り欠きの幅方向に一致する位置以外の所定範囲内に規制可能な回動規制部を設けた
ことを特徴とする請求項４記載の自動販売機の商品収納コラム。
【請求項６】
前記回動規制部をリンク部材の回動規制位置まで折り曲げ可能に形成した
ことを特徴とする請求項５記載の自動販売機の商品収納コラム。
【請求項７】
前記リンク部材が連結される一方の側板またはスペーサ部材側に、切り欠きを閉鎖可能な閉鎖部を設けた
ことを特徴とする請求項４記載の自動販売機の商品収納コラム。
【請求項８】
前記閉鎖部を切り欠きの閉鎖位置まで折り曲げ可能に形成した
ことを特徴とする請求項７記載の自動販売機の商品収納コラム。
【請求項９】
互いに間隔をおいて対向する一対の側板と、各側板間に上下方向に延びるように形成された商品通路と、商品通路内の幅方向一端側に配置された通路幅調整用のスペーサと、スペーサを一方の側板に商品通路の幅方向に移動自在に連結するリンク部材とを備え、商品通路の幅方向他端側の側板とスペーサとの間に商品を収納するようにした自動販売機の商品収納コラムにおいて、
前記リンク部材を、一端側がリンク部材を幅方向に挿通し、他端側には一端側よりも外径の大きい拡径部を有する連結シャフトを介して一方の側板またはスペーサに回動自在に連結し、
リンク部材が連結される一方の側板またはスペーサには、連結シャフトの拡径部に係止することにより連結シャフトを固定するシャフト固定部を設けた
ことを特徴とする自動販売機の商品収納コラム。
【発明の詳細な説明】
【技術分野】
【０００１】
本発明は、缶、ビンまたはペットボトル入り飲料を収納する自動販売機の商品収納コラムに関するものである。
【背景技術】
【０００２】
従来、この種の自動販売機の商品収納コラムとしては、一対の側板間に上下方向に配設された多数の円弧板を前後方向に間隔をおいて対向させることにより、上下方向に延びる蛇行状の商品通路を形成したものが知られている。この商品収納コラムにおいは、商品通路内に幅方向に移動自在なスペーサが設けられ、スペーサを任意の位置へ移動することにより、商品通路の左右方向の幅を変更できるようになっている（例えば、特許文献１参照。）。
【特許文献１】特開２０００−３４８２４８号公報
【発明の開示】
【発明が解決しようとする課題】
【０００３】
ところで、前記スペーサは、両端をスペーサ及び一方の側板にそれぞれ回動自在に連結された複数のリンク部材によって商品通路の幅方向に移動自在に支持され、その上端側に連結された商品投入口側の幅調整機構と一体に移動するようになっている。この場合、各リンク部材はスペーサ及び一方の側板に割ピンを用いて連結されているが、割ピンの挿入や先端の折り曲げには専用の工具が必要となり、各リンク部材の組付作業が繁雑になるという問題点があった。
【０００４】
本発明は前記問題点に鑑みてなされたものであり、その目的とするところは、一方の側板またはスペーサに連結されるリンク部材を工具を用いることなく容易に連結することのできる自動販売機の商品収納コラムを提供することにある。
【課題を解決するための手段】
【０００５】
本発明は前記目的を達成するために、互いに間隔をおいて対向する一対の側板と、各側板間に上下方向に延びるように形成された商品通路と、商品通路内の幅方向一端側に配置された通路幅調整用のスペーサと、スペーサを一方の側板に商品通路の幅方向に移動自在に連結するリンク部材とを備え、商品通路の幅方向他端側の側板とスペーサとの間に商品を収納するようにした自動販売機の商品収納コラムにおいて、前記リンク部材を、一端側がリンク部材を幅方向に挿通する略Ｌ字状の連結シャフトを介して一方の側板またはスペーサに回動自在に連結し、リンク部材が連結される一方の側板またはスペーサには、連結シャフトの他端側に係止することにより連結シャフトを固定するシャフト固定部を設けている。
【０００６】
これにより、リンク部材の一端側を連結シャフトを介して一方の側板に回動自在に連結するとともに、連結シャフトの他端側を一方の側板のシャフト固定部に係止することにより、連結シャフトの他端側が一方の側板またはスペーサに固定されることから、リンク部材の連結に工具を用いる必要がない。
【０００７】
また、本発明は前記目的を達成するために、互いに間隔をおいて対向する一対の側板と、各側板間に上下方向に延びるように形成された商品通路と、商品通路内の幅方向一端側に配置された通路幅調整用のスペーサと、スペーサを一方の側板に商品通路の幅方向に移動自在に連結するリンク部材とを備え、商品通路の幅方向他端側の側板とスペーサとの間に商品を収納するようにした自動販売機の商品収納コラムにおいて、前記リンク部材に一方の側板またはスペーサの連結孔に回動自在に連結される連結部を設けるとともに、リンク部材が連結される一方の側板またはスペーサにはリンク部材の連結部を連結孔に挿通する切り欠きを設け、連結部の幅寸法を切り欠きの幅寸法よりも大きく、連結部の厚さ寸法を切り欠きの幅寸法よりも小さく形成している。
【０００８】
これにより、リンク部材の連結部を切り欠きを介して連結孔に挿入することにより、連結部がスペーサに回動自在に連結される。その際、連結部の幅寸法が切り欠きの幅寸法よりも大きく、連結部の厚さ寸法が切り欠きの幅寸法よりも小さく形成されていることから、連結部の厚さ方向が切り欠きの幅方向に一致しない範囲内では、連結部が切り欠きを介して連結孔から外れることなく回動することから、リンク部材の連結に工具を用いる必要がない。
【発明の効果】
【０００９】
本発明によれば、リンク部材を一方の側板またはスペーサに工具を用いることなく容易に連結することができるので、組立作業を効率よく行うことができ、製造コストの低減を図ることができる。
【発明を実施するための最良の形態】
【００１０】
図１乃至図１０は本発明の第１の実施形態を示すもので、図１は商品収納コラムの概略側面図、図２はその一部省略正面図、図３乃至図５はリンク部材と側板との連結構造を示す要部斜視図、図６はその要部正面図、図７及び図８はリンク部材とスペーサとの連結構造を示す要部斜視図、図９及び図１０はその要部側面図である。
【００１１】
この商品収納コラムは、互いに左右方向に間隔をおいて対向する一対の側板１と、各側板１間に形成された商品通路２と、商品通路２を間にして前後方向に対向する複数の円弧板３と、商品通路２内の幅方向一端側に配置された通路幅調整用のスペーサ４と、スペーサ４を一方の側板１に商品通路２の幅方向に移動自在に連結する複数のリンク部材５と、リンク部材５の一端側を側板１に連結するための連結シャフト６とを備え、商品通路２の幅方向他端側の側板１とスペーサ４との間に商品Ａを収納するようになっている。
【００１２】
各側板１は商品通路２の両側面をなすように配置され、一方の側板１にはリンク部材５の一端側を連結する一対の連結片１ａが設けられている。各連結片１ａはリンク部材５の一端側を間にして幅方向に対向するように設けられ、各連結片１ａにはそれぞれシャフト挿通用の孔１ｂが設けられている。また、一方の側板１には連結シャフト６を固定するためのシャフト固定部１ｃが設けられ、シャフト固定部１ｃは一方の連結片１ａの上方に配置されている。この場合、シャフト固定部１ｃは側板１の一部を曲げ起こすことによって形成され、その先端側は他方の連結片１ａの上方に向かって略Ｌ字状に屈曲している。
【００１３】
商品通路２は上下方向に延びるように形成され、その下端には商品通路２内の商品Ａを一個ずつ落下搬出する商品搬出機構２ａが設けられている。
【００１４】
各円弧板３は商品通路２の外側に凸状をなすように湾曲し、上端を各側板１に回動自在に支持されている。各円弧板３は商品通路２の前方及び後方にそれぞれ上下方向に多数配列され、各円弧板３によって蛇行状の商品通路２が形成されている。
【００１５】
スペーサ４は、商品通路２の上下方向に延びる板状のスペーサ本体４ａと、スペーサ本体４ａの一方の面側に配置されたスライド板４ｂとからなり、スライド板４ｂには各リンク部材５が連結される複数の連結片４ｃが設けられている。各連結片４ｃは互いに幅方向に間隔をおいて配置され、各連結片４ｃにはリンク部材５を連結するための連結孔４ｄが設けられている。また、スペーサ４には上下方向に延びる一対のスリット４ｅが互いに幅方向に間隔をおいて設けられ、各連結片４ｃは各スリット４ｅを介してスペーサ本体４ａの他方の面側に位置している。一方の連結片４ｃにはその下端から連結孔４ｄまで連通する切り欠き４ｆが設けられ、リンク部材５の他端側が切り欠き４ｆを介して連結孔４ｄに挿入されるようになっている。また、他方の連結片４ｃにはリンク部材５の回動を規制するための回動規制部４ｇが設けられている。回動規制部４ｇは他方の連結片４ｃから下方に向かって延びるとともに、側方に折り曲げ可能に形成されている。また、スペーサ４の上端は商品投入口側の幅調整機構７に連結され、スペーサ４は幅調整機構７と一体に商品通路２の幅方向に移動するようになっている。
【００１６】
リンク部材５は一端側の幅方向両端部を折り曲げた板状の部材からなり、一端側の幅方向両端部にはそれぞれシャフト挿通用の孔５ａが設けられている。リンク部材５の他端側にはスペーサ４のスライド板４ａに連結される幅方向一対の連結部５ｂが設けられ、各連結部５ｂはそれぞれリンク部材５の幅方向外側に向かって突出している。各連結部５ｂは、リンク部材５の長手方向の幅寸法Ｌ1 が厚さ寸法Ｌ2 よりも小さい断面長方形状に形成され、幅寸法Ｌ1 は連結孔４ｄの内径寸法Ｄよりもやや小さく形成されている。連結部５ｂの厚さ寸法Ｌ2 は切り欠き４ｆの幅寸法Ｗよりも小さく形成され、切り欠き４ｆの幅寸法Ｗは連結部５ｂの幅寸法Ｌ1 よりも小さく形成されている。
【００１７】
連結シャフト６は弾性変形可能なＬ字形の棒状部材からなり、その一端側は側板１の各孔１ｂ及びリンク部材５の各連結孔４ｄに挿入され、その他端側は側板１のシャフト固定部１ｃに固定されるようになっている。
【００１８】
以上のように構成された商品収納コラムにおいては、商品投入口側の幅調整機構７を収納商品Ａの幅に合わせて幅方向に移動すると、スペーサ４が幅調整機構７と共に各側板１間を幅方向に移動し、商品通路２の幅が商品Ａのサイズに応じて設定される。その際、スペーサ４は上下一対のリンク部材５に支持され、各リンク部材５の回動及びスライド板４ｂの上下方向の移動により、スペーサ４が側板１に対して平行状態を保ちながら幅方向に移動する。
【００１９】
また、前記商品収納コラムの組立時において、リンク部材５の一端側を側板１に連結する場合は、図３に示すように連結シャフト６の一端側を側板１の各孔１ｂ及びリンク部材５の各孔５ａに挿入した後、図４に示すように連結シャフト６の他端側を上方に回動し、図５に示すようにシャフト固定部１ｃに係合する。その際、図６に示すように連結シャフト６の他端側をシャフト固定部１ｃの幅方向一方に弾性的に曲げながらシャフト固定部１ｃに係合することにより、連結シャフト６がシャフト固定部１ｃの先端側に係止して側板１側に保持される。
【００２０】
一方、リンク部材５の他端側をスペーサ４に連結する場合は、図７に示すようにリンク部材５の一方の連結部５ｂをスペーサ４の一方の連結孔４ｄに挿入した後、他方の連結部５ｂを切り欠き４ｆを介してスペーサ４の他方の連結孔４ｄに挿入する。その際、図９に示すようにリンク部材５の向きを連結部５ｂの厚さ方向が切り欠き４ｆの幅方向に一致するようにして連結部５ｂを下方から切り欠き４ｆに挿入した後、図８に示すようにリンク部材５を他端側を中心に上方に回動する。これにより、図１０に示すように連結部５ｂの厚さ方向が切り欠き４ｆの幅方向に一致しない範囲では、連結部５ｂが切り欠き４ｆを介して連結孔４ｄから外れることなく回動する。また、図８に示すようにスペーサ４の回動規制部４ｇをＬ字状をなすように一側方に折り曲げることにより、図１０に示すようにリンク部材５が回動規制部４ｇよりも下方への回動を規制される。これにより、リンク部材５が連結部５ｂの厚さ方向と切り欠き４ｆの幅方向とが一致する位置まで回動することがない。
【００２１】
このように、本実施形態の商品収納コラムによれば、略Ｌ字状の連結シャフト６の一端側をリンク部材５の一端側及び一方の側板１に幅方向に挿通することにより、リンク部材５の一端側を連結シャフト６を介して一方の側板１に回動自在に連結するとともに、連結シャフト６の他端側を一方の側板１に設けたシャフト固定部１ｃに係止することにより、連結シャフト６の他端側を側板１に固定するようにしたので、リンク部材５の一端側を工具を用いることなく側板１に容易に連結することができる。従って、組立作業を効率よく行うことができ、製造コストの低減を図ることができる。
【００２２】
この場合、連結シャフト６の他端側を弾性変形させながらシャフト固定部１ｃに係合するようにしたので、連結シャフト６と側板１との係合を簡単な作業によって確実に行うことができ、作業性の向上を図ることができる。
【００２３】
また、リンク部材５の他端側に設けた連結部５ｂを切り欠き４ｆを介してスペーサ４の連結孔４ｄに挿入することにより、連結部５ｂをスペーサ４に回動自在に連結するとともに、連結部５ｂの幅寸法Ｌ1 を切り欠き４ｆの幅寸法Ｗよりも大きく、連結部５ｂの厚さ寸法Ｌ2 を切り欠き４ｆの幅寸法Ｗよりも小さく形成したので、連結部５ｂの厚さ方向が切り欠き４ｆの幅方向に一致しない範囲では、連結部５ｂを切り欠き４ｆを介して連結孔４ｄから外れることなく回動させることができる。これにより、スペーサ４が連結部５ｂの前記回動範囲内で商品通路２の幅方向に移動するように構成することにより、リンク部材５の他端側を工具を用いることなくスペーサ４に連結することができ、組立作業を極めて容易に行うことができる。
【００２４】
更に、リンク部材５の他端側をスペーサ４に連結した後、スペーサ４の回動規制部４ｇを所定位置まで折り曲げることにより、リンク部材５の回動を連結部５ｂの厚さ方向が切り欠き４ｆの幅方向に一致する位置以外の所定位置で規制するようにしたので、スペーサ４に連結したリンク部材５がスペーサ４から外れることがなく、リンク部材５をスペーサ４に確実に連結することができる。この場合、回動規制部４ｇをリンク部材５の回動規制位置まで折り曲げ可能に形成したので、工具を用いることなく容易にリンク部材５の回動を規制することができる。
【００２５】
図１１及び図１２は本発明の第２の実施形態を示すもので、図１１はリンク部材と側板との連結構造を示す要部斜視図、図１２はリンク部材と側板との連結構造を示す要部斜視図である。尚、前記実施形態と同等の構成部分には同一の符号を付して示す。
【００２６】
前記実施形態では、連結シャフト６を弾性変形させながら側板１に固定するようにしたものを示したが、本実施形態では、図１１に示すように側板１に折り曲げ可能なシャフト固定部１ｄを設け、連結シャフト６の他端側を上方に回動した後、図１２に示すようにシャフト固定部１ｄを側板１から曲げ起こして連結シャフト６側に折り曲げることにより、連結シャフト６をシャフト固定部１ｅに係止して側板１側に固定するようにしている。これにより、前記実施形態と同様、リンク部材５を工具を用いることなく側板１に連結することができる。
【００２７】
図１３及び図１４は本発明の第３の実施形態を示すもので、図１３はリンク部材と側板との連結構造を示す要部斜視図、図１４はリンク部材と側板との連結構造を示す要部斜視図である。尚、前記実施形態と同等の構成部分には同一の符号を付して示す。
【００２８】
本実施形態では、図１３に示すように側板１の一方の連結片１ａに側方に折り曲げ可能なシャフト固定部１ｅを設け、連結シャフト６の他端側を下方に回動し、図１４に示すようにシャフト固定部１ｅを連結シャフト６側に折り曲げることにより、連結シャフト６をシャフト固定部１ｅに係止して側板１側に固定するようにしている。この場合も同様、リンク部材５を工具を用いることなく側板１に連結することができる。
【００２９】
図１５及び図１６は本発明の第３の実施形態を示すもので、図１５はリンク部材とスペーサとの連結構造を示す要部斜視図、図１６はリンク部材とスペーサとの連結構造を示す要部斜視図である。尚、前記実施形態と同等の構成部分には同一の符号を付して示す。
【００３０】
前記実施形態では、リンク部材５の他端側をスペーサ４に連結した後、スペーサ４の回動規制部４ｇを所定位置まで折り曲げ、回動規制部４ｇによってリンク部材５の回動を所定位置で規制するようにしたものを示したが、本実施形態では、図１５に示すようにリンク部材５が挿通する切り欠き４ｆを一方の連結片４ｃの前端側に設けるとともに、一方の連結片４ｃの上端側に切り欠き４ｆを閉鎖可能な閉鎖部４ｈを上方に延設し、リンク部材５を連結孔４ｄに挿入した後、図１６に示すように閉鎖部４ｈを下方に折り曲げて切り欠き４ｆを閉鎖するようにしている。これにより、リンク部材５が切り欠き４ｆを介してスペーサ４の連結孔４ｄから外れることがなく、リンク部材５をスペーサ４に確実に連結することができる。
【００３１】
図１７及び図１８は本発明の第５の実施形態を示すもので、図１７はリンク部材と側板との連結構造を示す要部斜視図、図１８はリンク部材と側板との連結構造を示す要部斜視図である。尚、前記実施形態と同等の構成部分には同一の符号を付して示す。
【００３２】
第１の実施形態ではＬ字形に屈曲した連結シャフト６を用いたものを示したが、本実施形態では、直線状に延びる連結シャフト７を用いてリンク部材５の一端側と一方の側板１とを連結するようにしている。連結シャフト７は一端側がリンク部材５を幅方向に挿通するとともに、その他端には一端側よりも外径の大きい拡径部７ａが設けられている。また、側板１には拡径部７ａを係止するシャフト固定孔１ｆが設けられており、図１７に示すように連結シャフト７の一端側を側板１の各孔１ｂ及びリンク部材５の各孔５ａに挿入した後、図１８に示すように連結シャフト７の拡径部７ａを固定孔１ｆに嵌入することにより、拡径部７ａが固定孔１ｆに係止して連結シャフト７が固定される。これにより、リンク部材５を工具を用いることなく側板１に連結することができるとともに、連結シャフト７を曲げ加工する必要がないという利点がある。尚、固定孔１ｆに代えて、側板１に折り曲げ可能なシャフト固定部を設け、連結シャフト７を挿入した後にシャフト固定部を曲げ起こして連結シャフト７の他端に係止するようにしてもよい。
【００３３】
また、前記各実施形態では示していないが、リンク部材５の一端側と側板１との連結構造をリンク部材５の他端側とスペーサ４との連結に用いることもでき、リンク部材５の他端側とスペーサ４との連結構造をリンク部材５の一端側と側板１との連結に用いることも可能である。
【図面の簡単な説明】
【００３４】
【図１】本発明の第１の実施形態を示す商品収納コラムの概略側面図
【図２】商品収納コラムの一部省略正面図
【図３】リンク部材と側板との連結構造を示す要部斜視図
【図４】リンク部材と側板との連結構造を示す要部斜視図
【図５】リンク部材と側板との連結構造を示す要部斜視図
【図６】リンク部材と側板との連結構造を示す要部正面図
【図７】リンク部材とスペーサとの連結構造を示す要部斜視図
【図８】リンク部材とスペーサとの連結構造を示す要部斜視図
【図９】リンク部材とスペーサとの連結構造を示す要部側面図
【図１０】リンク部材とスペーサとの連結構造を示す要部側面図
【図１１】本発明の第２の実施形態を示すリンク部材と側板との連結構造の要部斜視図
【図１２】リンク部材と側板との連結構造の要部斜視図
【図１３】本発明の第４の実施形態を示すリンク部材と側板との連結構造の要部斜視図
【図１４】リンク部材と側板との連結構造の要部斜視図
【図１５】本発明の第４の実施形態を示すリンク部材とスペーサとの連結構造の要部斜視図
【図１６】リンク部材とスペーサとの連結構造の要部斜視図
【図１７】本発明の第５の実施形態を示すリンク部材と側板との連結構造の要部斜視図
【図１８】リンク部材と側板との連結構造を示す要部斜視図
【符号の説明】
【００３５】
１…側板、１ｃ，１ｄ，１ｅ…シャフト固定部、１ｆ…シャフト固定孔、２…商品通路、４…スペーサ、４ｄ…連結孔、４ｆ…切り欠き、４ｇ…回動規制部、４ｈ…閉鎖部、５…リンク部材、５ｂ…連結部、６，７…連結シャフト、７ａ…拡径部、Ａ…商品。
【図１】
2007018311.tif 000003
【図２】
2007018311.tif 000004
【図３】
2007018311.tif 000005
【図４】
2007018311.tif 000006
【図５】
2007018311.tif 000007
【図６】
2007018311.tif 000008
【図７】
2007018311.tif 000009
【図８】
2007018311.tif 000010
【図９】
2007018311.tif 000011
【図１０】
2007018311.tif 000012
【図１１】
2007018311.tif 000013
【図１２】
2007018311.tif 000014
【図１３】
2007018311.tif 000015
【図１４】
2007018311.tif 000016
【図１５】
2007018311.tif 000017
【図１６】
2007018311.tif 000018
【図１７】
2007018311.tif 000019
【図１８】
2007018311.tif 000020